(57)【要約】【課題】リングを連結させる構成を簡素化した携帯情報端末支持具を提供する。【解決手段】携帯情報端末１００の背面に接着するとともに携帯情報端末１００を支持する携帯情報端末支持具１は、携帯情報端末１００の背面側に接着する接着板２と、接着板２に挿通される支持部３とを備え、支持部３は、接着板２に形成される貫通孔に挿通される基部４と、基部４に回動可能に係合するリング部５とをさらに備え、基部４は、リング部５の一部を隠蔽するカバー部１５と、カバー部１５と係合する受け部１６とをさらに備え、カバー部１５と受け部１６とが係合する際に、リング部５の一部を回動可能に挟持する構成である。【選択図】図２
2020182062.tif 000002
【特許請求の範囲】
【請求項１】
携帯情報端末の背面に接着するとともに前記携帯情報端末を支持する携帯情報端末支持具であって、
前記携帯情報端末の背面側に接着する接着板と、
前記接着板に挿通される支持部と、
を備え、
前記支持部は、前記接着板に形成される貫通孔に挿通される基部と、
前記基部に回動可能に係合するリング部と、
をさらに備え、
前記基部は、
前記リング部の一部を隠蔽するカバー部と、
前記カバー部と係合する受け部と、
をさらに備え、
前記カバー部と前記受け部とが係合する際に、前記リング部の一部を回動可能に挟持する携帯情報端末支持具。
【請求項２】
前記カバー部は、前記接着板の背面側に配置され、
前記受け部は、前記貫通孔に挿通されるとともに、前記カバー部に係合する請求項１に記載の携帯情報端末支持具。
【請求項３】
前記カバー部は、底面から立設されるとともに所定位置にスリットが配設される周壁、
をさらに備え、
前記受け部は、
前記スリットに嵌合する溝部、
をさらに備え、
前記リング部は、
一部が開放されるとともに、開放されている端部が前記スリットに係合し、
前記溝部が前記スリットに嵌合する場合に、前記スリットと前記溝部とにより挟持される
ことを特徴とする請求項１又は２に記載の携帯情報端末支持具。
【請求項４】
前記リング部の端部は、断面形状が略円形に構成される請求項３に記載の携帯情報端末支持具。
【発明の詳細な説明】
【技術分野】
【０００１】
本発明は、携帯情報端末を支持する携帯情報端末支持具の技術に関する。
【背景技術】
【０００２】
従来、モバイル機器に装着されるアクセサリにおいて、モバイル機器の後面に付着される固定板と、連結部材により固定板と連結されるリングとを備えるアクセサリが提供されている（例えば特許文献１）。
【０００３】
特許文献１に示すアクセサリにおいて、リングに形成される孔と連結ブロックに形成される孔に連結軸を挿入するとともに、スリーブ状の弾性部を連結ブロックの内部に挿入して連結軸に差し込むことにより、リングは回動可能に連結ブロックに連結される。
【先行技術文献】
【特許文献】
【０００４】
【特許文献１】特表２０１６−５１５７８３号公報
【発明の概要】
【発明が解決しようとする課題】
【０００５】
上記特許文献１に開示されるモバイル機器のアクセサリによると、リングを連結ブロックに連結させるために連結軸と弾性部とが必要であり、また、連結軸をリングに形成される孔と連結ブロックに形成される孔の両方に挿通させる必要がある。すなわち、上記特許文献１のモバイル機器のアクセサリは、リングを連結させる作業の効率性を高めるという点において改良の余地がある。
【０００６】
そこで本発明は、上記従来の問題点を解決すべく、リングを連結させる構成を簡素化した携帯情報端末支持具を提供することを目的とする。
【課題を解決するための手段】
【０００７】
上記目的を達成するため、請求項１の発明は、携帯情報端末の背面に接着するとともに前記携帯情報端末を支持する携帯情報端末支持具であって、前記携帯情報端末の背面側に接着する接着板と、前記接着板に挿通される支持部とを備え、前記支持部は、前記接着板に形成される貫通孔に挿通される基部と、前記基部に回動可能に係合するリング部とをさらに備え、前記基部は、前記リング部の一部を隠蔽するカバー部と、前記カバー部と係合する受け部とをさらに備え、前記カバー部と前記受け部とが係合する際に、前記リング部の一部を回動可能に挟持する構成である。
【発明の効果】
【０００８】
本発明にかかる携帯情報端末支持具によると、リングを連結させる構成を簡素化することができる。
【図面の簡単な説明】
【０００９】
【図１】本実施形態における携帯情報端末支持具の構成の一例を示す図である。
【図２】本実施形態における携帯情報端末支持具の構成の一例を示す断面図である。
【図３】本実施形態における携帯情報端末支持具の構成の一例を示す断面図である。
【図４】本実施形態におけるカバー部の構成の一例を示す図である。
【図５】本実施形態における受け部の構成の一例を示す図である。
【図６】本実施形態における支持部の組み立ての一例を示す図である。
【図７】本実施形態におけるリング部の構成の一例を示す図である。
【発明を実施するための形態】
【００１０】
本発明者は、携帯情報端末支持具のリングを含む支持部を効率的に組み立てるために鋭意検討した結果、以下の発明に至った。
【００１１】
本発明の一態様である携帯情報端末支持具は、携帯情報端末の背面に接着するとともに前記携帯情報端末を支持する携帯情報端末支持具であって、前記携帯情報端末の背面側に接着する接着板と、前記接着板に挿通される支持部とを備え、前記支持部は、前記接着板に形成される貫通孔に挿通される基部と、前記基部に回動可能に係合するリング部とをさらに備え、前記基部は、前記リング部の一部を隠蔽するカバー部と、前記カバー部と係合する受け部とをさらに備え、前記カバー部と前記受け部とが係合する際に、前記リング部の一部を回動可能に挟持する構成である。
【００１２】
このような構成により、リング部を連結する連結軸が不要となるため、支持部を構成する部品点数を少なくすることができる。また、連結軸をリング部に形成される孔に挿通する作業が不要となるため、組み立て作業効率が向上する。
【００１３】
本発明の一態様である携帯情報端末支持具において、前記カバー部は、前記接着板の背面側に配置され、前記受け部は、前記貫通孔に挿通されるとともに、前記カバー部に係合するよう構成されてもよい。
【００１４】
このような構成により、受け部を接着板の貫通孔に挿通させてカバー部と係合する際に、リング部を挟持して連結させることができ、効率的にリング部を回動可能に基部に連結可能となる。
【００１５】
本発明の一態様である携帯情報端末支持具において、前記カバー部は、底面から立設されるとともに所定位置にスリットが配設される周壁をさらに備え、前記受け部は、前記スリットに嵌合する溝部をさらに備え、前記リング部は、一部が開放されるとともに開放されている端部が前記スリットに係合するとともに、前記溝部が前記スリットに嵌合する場合に、前記スリットと前記溝部とにより挟持されるよう構成されてもよい。
【００１６】
このような構成により、カバー部と受け部とが嵌合する際に、リング部の開放された端部がスリットと溝部とにより挟持されることから、効率的にリング部を基部に係合させることができる。
【００１７】
本発明の一態様である携帯情報端末支持具において、前記リング部の端部は、断面形状が略円形に構成されてもよい。
【００１８】
このような構成により、リング部が基部に係合されている状態において、リング部は良好に回動することができる。
【００１９】
以下、本発明の実施形態の一例を、図面に基づいて詳細に説明する。なお、同一の構成部材に対しては同一の符号を付し、これに関する重複する説明は省略する。
【００２０】
図１は、本発明の一実施形態である携帯情報端末支持具１を示す図である。携帯情報端末支持具１は、携帯情報端末１００の背面に接着する接着板２と、接着板２に形成される貫通孔に挿通される支持部３とを備える。
【００２１】
携帯情報端末支持具１は、携帯情報端末１００の表示画面を有する表面の反対側の背面に接着される。接着板２は接着材を有し、携帯情報端末１００の背面に接着する。
【００２２】
接着板２は、厚さ方向に貫通孔を貫設される。好ましくは、貫通孔は、接着板２の略中央に形成される。
【００２３】
支持部３は、貫通孔に挿通される基部４と、基部４に回動可能に係合するリング部５とを備える。リング部５は、内部に手指を挿通可能に構成される。
【００２４】
リング部５は、外周縁の一部が平坦に形成されてもよい。リング部５の外周縁の一部が平坦に形成されることにより、支持部３は、携帯情報端末１００を台上に載置する際に、この平坦な部分により携帯情報端末１００を台上立てた状態で支持することができる。
【００２５】
図２は、本実施形態における携帯情報端末支持具１の断面図の一例である。図２は、図１のＡ―Ａ’線を通過する厚さ方向の断面図である。接着板２は、携帯情報端末１００の背面に接着される。
【００２６】
接着板２は、携帯情報端末１００の背面に当接する接着層１０と、樹脂層１１と、装飾層１２とを備える。接着層１０と樹脂層１１と装飾層１２とは、互いに接着材料により接着される。
【００２７】
接着層１０は、携帯情報端末１００に対向する面に接着材を備える。接着層１０は、例えば天然ゴムやスポンジなど可撓性を有する材料により構成される。これにより、携帯情報端末１００の当接部分を損傷することを抑制できる。
【００２８】
樹脂層１１は、接着層１０の背面側に接着される。樹脂層１１は、例えばアクリル樹脂など接着層１０より高い剛性を有する剛性樹脂により構成される。接着層１０と携帯情報端末１００との接着部分の接着力が経時劣化により弱まった場合においても、剛性樹脂により構成される樹脂層１１が接着層１０の背面に接着されているため、接着層１０が剥離して背面側に反り返るのを好適に抑制できる。
【００２９】
装飾層１２は、樹脂層１１の背面側に配設される。装飾層１２と樹脂層１１とは接着材料により接着される。装飾層１２は、樹脂層１１との接着面とは異なる面に、意匠等を有する。
【００３０】
接着板２は、略中央領域に厚さ方向に貫通孔が貫設される。基部４は、貫通孔に挿通されて接着板２に係合する。基部４は、カバー部１５と、受け部１６とを備える。カバー部１５は、接着板２の背面側に当接する。
【００３１】
カバー部１５は、円柱状に形成されるとともに、円柱内部に下方が開口する中空構造を有する。カバー部１５は、上面から連続して下方に延びる軸部２０を備える。軸部２０は、貫通孔に挿通されるとともに、接着層１０に接着される留め部１７に挿通される。留め部１７に挿通されると、接着板２からの抜け防止のために軸部２０の先端部が拡張される。
【００３２】
受け部１６は、接着層１０側から接着板２に挿通されて、カバー部１５に当接する。後述するように、カバー部１５に配設される第１スリット３１と、受け部１６に配設される溝部４１とにより、リング部５が回動可能に支持される。リング部５は、携帯情報端末１００に対して所望の角度に調整可能である。
【００３３】
図３は、本実施形態における携帯情報端末支持具１の断面図の一例である。図３は、図１のＢ−Ｂ’線を通る厚さ方向の断面図である。
【００３４】
接着板２の貫通孔は、基部４の受け部１６を挿通可能なサイズおよび形状を有する。受け部１６は、貫通孔に挿通され、カバー部１５に嵌合して止まる。すなわち受け部１６の上端は、カバー部１５に形成される中空に進入する。そして、カバー部１５の上面に受け部１６の上端が当接する。
【００３５】
受け部１６は、下方において外方に突出する溝部４１を備える（図５参照）。溝部４１は、カバー部１５の第１スリット３１に進入する。リング部５の端部が第１スリット３１に支持されている状態で溝部４１が第１スリット３１に進入することにより、リング部５の端部は、第１スリット３１と溝部４１とにより支持される。
【００３６】
受け部１６は、軸部２０を挿通可能な孔を備える。受け部１６が貫通孔に進入すると、カバー部１５に形成される軸部２０が受け部１６の孔に挿通される。受け部１６の上端がカバー部１５の上面に当接するまで進入すると、軸部２０の先端は、受け部１６の孔を過ぎて止まる。
【００３７】
受け部１６の底面から突出する軸部２０の先端は、留め部１７の孔に挿通する。留め部１７と軸部２０とは互いに係合する。係合する方法として、螺子止めされてもよいし、軸部２０の先端を拡張させて抜け止めさせてもよい。
【００３８】
リング部５は、第１スリット３１と受け部１６により支持されている状態で、軸Ｌを中心として回動可能である。
【００３９】
図４は、本実施形態におけるカバー部１５の構成の一例を示す図である。図４（ａ）は、カバー部１５の斜視図である。カバー部１５は、円柱状に形成され、円柱内部に中空構造を有する。カバー部１５は、上面から中空を下方に向かって延びる軸部２０を備える。軸部２０は、カバー部１５の上面における略中心領域から連続して垂直方向に立設される。
【００４０】
カバー部１５は上面端部から垂直方向に連続して立設される第１周壁３０を備える。第１周壁３０は、所定位置に第１スリット３１を備える。第１スリット３１の幅は、リング部５の端部を収容可能である。
【００４１】
本実施形態において、第１スリット３１は、第１周壁３０に複数配設される。好ましくは、第１スリット３１は、カバー部１５の高さ方向における中心軸を挟んで対向し合う位置に配設される。例えば、第１周壁３０において、軸部２０を挟んで互いに対向する位置に第１スリット３１が配設される。
【００４２】
図４（ｂ）は、カバー部１５の断面図の一例である。第１スリット３１は、第１周壁３０の端部から入り込んで形成される。第１スリット３１の幅は、リング部５の端部を収容可能なサイズに構成される。支持部３を組み立てる際に、リング部５の端部を第１スリット３１の開口から第１スリット３１内に進入させ、第１スリット３１の底部にリング部５の端部が当接して支持される。
【００４３】
第１周壁３０の端部は、接着板２の装飾層１２に当接する。軸部２０は、貫通孔内に挿通される。軸部２０は、高さ方向において第１周壁３０を越える部分の軸長さが、接着板２の厚さより長く構成される。すなわち、軸部２０は貫通孔内に挿通されると、先端が接着板２における接着層１０を通過して止まる。
【００４４】
図４（ｃ）は、カバー部１５の底面図の一例である。カバー部１５は、平面視略円形状に構成される。上述したように、軸部２０は平面視略中央部から立設される。軸部２０は、平面視略円形状に構成される。
【００４５】
第１周壁３０と軸部２０との最短距離は、受け部１６が進入可能な長さに構成される。受け部１６は、カバー部１５に嵌合する際に、カバー部１５に形成される中空において、第１周壁３０と軸部２０との間を通過するとともに、受け部１６の上端がカバー部１５の上面に当接して止まる。
【００４６】
図５は、本実施形態における受け部１６の構成の一例を示す図である。図５（ａ）は、受け部１６の斜視図である。受け部１６は、略円筒状に構成される。受け部１６は、第２周壁４０と、第２周壁４０内の所定位置に配設される第２スリット４２と、第２スリット４２から連続して外方に突出する溝部４１とを備える。
【００４７】
受け部１６は、接着板２に形成される貫通孔に挿通されるとともに、接着板２を挟んでカバー部１５と当接する。上述したとおり受け部１６は略円筒状に構成され、平面視第２周壁４０の内側中空は、軸部２０を挿通可能に構成される。
【００４８】
溝部４１は、平面視外方に突出して構成される。溝部４１は、カバー部１５に形成される第１スリット３１に対応する位置に配設される。カバー部１５と受け部１６とが嵌合する際に、溝部４１は第１スリット３１の開口から進入する。第２周壁４０の上端がカバー部１５の上面に当接して止まると、溝部４１は、リング部５の端部を支持する。これにより、リング部５は、第１スリット３１と溝部４１により支持されるため、第１スリット３１からリング部５が抜け出すのを防止できる。
【００４９】
図５（ｂ）は、受け部１６の断面の一例を示す図である。図５（ｂ）は、図５（ａ）におけるＣ−Ｃ’線を通過する高さ方向の断面図である。第２周壁４０は、接着板２に形成される貫通孔の厚さと略同じサイズの高さに構成される。
【００５０】
第１スリット３１に対応する位置に溝部４１が配設される。溝部４１は、第２周壁４０に設けられる第２スリット４２の閉塞される端部から連続して形成される。溝部４１は、上方が半円状に窪んだ形状を有する。これにより、リング部５を第１スリット３１とともに挟持する際に、リング部５の形状にフィットするため、リング部５が円滑に回動可能となる。
【００５１】
第２スリット４２の幅は、リング部５の端部の断面直径より広く構成される。これにより、リング部５が円滑に回動可能となる。
【００５２】
図５（ｃ）は、受け部１６の上面図である。受け部１６は、平面視略円形に構成されるとともに、中心軸を挟んで対向する位置に溝部４１が形成される。第２周壁４０の内側は中空構造に構成される。カバー部１５の軸部２０は、中空に挿通される。
【００５３】
第２周壁４０は、カバー部１５の第１周壁３０の内側に進入する。第２周壁４０の上端部は、カバー部１５の上面に当接する。
【００５４】
カバー部１５と受け部１６とが嵌合するとともに、リング部５の端部を支持することにより、支持部３が構成される。本実施形態において、カバー部１５の第１スリット３１にリング部５の端部を収容した状態で、受け部１６を嵌合させることにより、支持部３を組み立てることができ、組み立て作業を簡素化できる。
【００５５】
図６は、本実施形態における支持部３の組み立ての一例を示す図である。リング部５は、開放されている端部に回動軸４５を備える。支持部３の組み立て作業において、回動軸４５をカバー部１５の第１スリット３１に進入させる。回動軸４５が第１スリット３１の閉塞部に当接すると、受け部１６をカバー部１５に嵌合させる。
【００５６】
カバー部１５の軸部２０を受け部１６に形成される中空に挿通させるとともに、受け部１６の溝部４１を、第１スリット３１に進入させ、回動軸４５に当接させる。そうすると、回動軸４５は、第１スリット３１と溝部４１とにより挟持される。これにより、リング部５が第１スリット３１から脱落するのを良好に防止できる。
【００５７】
支持部３の組み立て作業において、カバー部１５と受け部１６とを嵌合させる際に、カバー部１５の軸部２０を受け部１６の中空に挿通させ、また、溝部４１を第１スリット３１に進入させることにより、両者を嵌合させることができる。すなわち、カバー部１５と受け部１６とを嵌合させる際に、作業者は、軸部２０を受け部１６の中空に挿通させることと、第１スリット３１に溝部４１を進入させることに注意を払えば足りることから、組み立て作業を簡便に行うことができる。
【００５８】
カバー部１５の中心軸を通過する幅は、回動軸４５の先端部同士の直線距離より大きく構成される。また、カバー部１５の中心軸を通過する幅は、回動軸４５の基端同士の直線距離と同じか、これより短く構成される。これにより、カバー部１５は、回動軸４５を第１スリット３１に進入させて支持することができる。
【００５９】
受け部１６の溝部４１の先端同士の距離は、回動軸４５の基端部同士の直線距離と同じか、これより短く構成される。また、受け部１６の溝部４１の先端同士の距離は、回動軸４５の先端部同士の直線距離より長く構成される。これにより、溝部４１は、第１スリット３１に進入する場合に、回動軸４５を良好に支持することができる。
【００６０】
図７は、リング部５の構成の一例を示す図である。リング部５は、開放される端部に回動軸４５を備える。図例において、回動軸４５は、断面形状が略円形に構成される。これにより、リング部５は、軸Ｌを中心に良好に第１スリット３１内において回動できる。
【００６１】
リング部５において、回動軸４５は、回動軸４５の基端より縮径して構成される。カバー部１５の第１スリット３１の幅は、回動軸４５の直径より大きく構成されるとともに、回動軸４５の基端より小さく構成される。
【００６２】
これにより、回動軸４５が第１スリット３１により支持されている状態で軸Ｌ方向に移動したとしても、回動軸４５の基端部が第１スリット３１により止まるため、回動軸４５が第１スリット３１から脱落するのを防止できる。
【００６３】
（変形例）
本発明の一実施形態について説明したが、本発明はこれに限定されるものではない。上述した実施形態において、樹脂層１１の背面に装飾層１２を接着する構成を説明したが、これとは異なり、装飾層１２を備える必要はない。
【００６４】
また、上述した実施形態において、リング部５が開口部を有する構成を説明したが、リング部５は開口部を備えることなく、一連であってもよい。
【００６５】
また、上述した実施形態において、リング部５の回動軸４５が基端部より縮径して構成される場合を示したが、これに限られず、回動軸４５は、基端部と同径に構成されてもよい。
【００６６】
また、上述した実施形態において、リング部５は手指を挿通可能な略円形状に構成される場合を示したが、これに限られず、リング部５は、矩形、或いはその他の多角形に構成されてもよい。また、手指を挿通可能に開口していなくともよい。
【符号の説明】
【００６７】
１      携帯情報端末支持具
２      接着板
３      支持部
４      基部
５      リング部
１５    カバー部
１６    受け部
３０    第１周壁（周壁）
３１    第１スリット（スリット）
４１    溝部
４５    回動軸（端部）
１００  携帯情報端末
【図１】
2020182062.tif 000003
【図２】
2020182062.tif 000004
【図３】
2020182062.tif 000005
【図４】
2020182062.tif 000006
【図５】
2020182062.tif 000007
【図６】
2020182062.tif 000008
【図７】
2020182062.tif 000009
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
携帯情報端末の背面に接着するとともに前記携帯情報端末を支持する携帯情報端末支持具であって、
前記携帯情報端末の背面側に接着する接着板と、
前記接着板に挿通される支持部と、
を備え、
前記支持部は、前記接着板に形成される貫通孔に挿通される基部と、
前記基部に回動可能に係合する一部が開放された形状を有するリング部と、
をさらに備え、
前記基部は、
前記接着板の背面側に配置され、前記リング部の一部を隠蔽するカバー部と、
前記カバー部と係合する受け部と、
をさらに備え、
前記カバー部は、
底面から立設されるとともに所定位置にスリットが配設される第１周壁と、
前記底面の略中心から前記底面に対して垂直方向に立ち上がる軸部と、
をさらに備え、
前記受け部は、
略円筒状に構成される第２周壁と、
前記第２周壁の所定位置から外方に突出し、前記スリットに嵌合する溝部と、
をさらに備え、
前記カバー部の前記第１周壁が前記受け部の前記第２周壁を被覆して係合する際に、前記リング部の開放端を前記スリットと前記溝部により回動可能に挟持するとともに、前記軸部が前記開放端同士の間を通過して前記第２周壁の内側に挿通される携帯情報端末支持具。
【請求項２】
前記リング部の端部は、断面形状が略円形に構成される請求項１に記載の携帯情報端末支持具。
【手続補正２】
【補正対象書類名】明細書
【補正対象項目名】０００７
【補正方法】変更
【補正の内容】
【０００７】
上記目的を達成するため、請求項１の発明は、携帯情報端末の背面に接着するとともに前記携帯情報端末を支持する携帯情報端末支持具であって、前記携帯情報端末の背面側に接着する接着板と、前記接着板に挿通される支持部とを備え、前記支持部は、前記接着板に形成される貫通孔に挿通される基部と、前記基部に回動可能に係合する一部が開放された形状を有するリング部とをさらに備え、前記基部は、前記接着板の背面側に配置され、前記リング部の一部を隠蔽するカバー部と、前記カバー部と係合する受け部とをさらに備え、前記カバー部は、底面から立設されるとともに所定位置にスリットが配設される第１周壁と、前記底面の略中心から前記底面に対して垂直方向に立ち上がる軸部とをさらに備え、前記受け部は、略円筒状に構成される第２周壁と、記第２周壁の所定位置から外方に突出し、前記スリットに嵌合する溝部とをさらに備え、前記カバー部の前記第１周壁が前記受け部の前記第２周壁を被覆して係合する際に、前記リング部の開放端を前記スリットと前記溝部により回動可能に挟持するとともに、前記軸部が前記開放端同士の間を通過して前記第２周壁の内側に挿通される構成である。
【手続補正３】
【補正対象書類名】明細書
【補正対象項目名】００１１
【補正方法】変更
【補正の内容】
【００１１】
本発明の一態様である携帯情報端末支持具は、携帯情報端末の背面に接着するとともに前記携帯情報端末を支持する携帯情報端末支持具であって、前記携帯情報端末の背面側に接着する接着板と、前記接着板に挿通される支持部とを備え、前記支持部は、前記接着板に形成される貫通孔に挿通される基部と、前記基部に回動可能に係合する一部が開放された形状を有するリング部とをさらに備え、前記基部は、前記接着板の背面側に配置され、前記リング部の一部を隠蔽するカバー部と、前記カバー部と係合する受け部とをさらに備え、前記カバー部は、底面から立設されるとともに所定位置にスリットが配設される第１周壁と、前記底面の略中心から前記底面に対して垂直方向に立ち上がる軸部とをさらに備え、前記受け部は、略円筒状に構成される第２周壁と、記第２周壁の所定位置から外方に突出し、前記スリットに嵌合する溝部とをさらに備え、前記カバー部の前記第１周壁が前記受け部の前記第２周壁を被覆して係合する際に、前記リング部の開放端を前記スリットと前記溝部により回動可能に挟持するとともに、前記軸部が前記開放端同士の間を通過して前記第２周壁の内側に挿通される構成である。